(57)【要約】【課題】入浴者の動作によらずに浴槽内での入浴者の存否を判定できる入退浴判定装置を提供する。【解決手段】浴槽内での湯水の水位を検出する水位検出部２２を備え、水位検出部２２の検出結果に基づいて、浴槽内での入浴者の存否を判定する入退浴判定装置であって、浴槽に貯えられている湯水量を変更する湯水量変更処理を実行可能な湯水量変更部Ｄ１と、所定の判定開始条件が満たされた場合に湯水量変更処理を湯水量変更部Ｄ１に実行させ、水位検出部２２で検出される、湯水量変更処理を実行した場合に生じる浴槽での水位の実際の変化状態に基づいて、浴槽内での入浴者の存否を判定する存否判定部Ｄ２とを備える。【選択図】図２
2019203621.tif 000002
【特許請求の範囲】
【請求項１】
浴槽内での湯水の水位を検出する水位検出部を備え、前記水位検出部の検出結果に基づいて、前記浴槽内での入浴者の存否を判定する入退浴判定装置であって、
前記浴槽に貯えられている湯水量を変更する湯水量変更処理を実行可能な湯水量変更部と、
所定の判定開始条件が満たされた場合に前記湯水量変更処理を前記湯水量変更部に実行させ、前記水位検出部で検出される、前記湯水量変更処理を実行した場合に生じる前記浴槽での水位の実際の変化状態に基づいて、前記浴槽内での入浴者の存否を判定する存否判定部とを備える入退浴判定装置。
【請求項２】
前記存否判定部は、前記水位検出部で検出される前記実際の変化状態が、前記浴槽内に入浴者が存在しない状態で前記湯水量変更処理が実行された場合に生じると予測される前記浴槽での水位の変化状態に対応している場合、前記浴槽内に入浴者が存在しないと判定する請求項１に記載の入退浴判定装置。
【請求項３】
前記存否判定部は、前記湯水量変更処理が実行される前後での前記浴槽での水位の変化量を前記変化状態とする請求項１又は２に記載の入退浴判定装置。
【請求項４】
前記存否判定部は、前記湯水量変更処理が実行された場合の前記浴槽での水位の変化速度を前記変化状態とする請求項１〜３の何れか一項に記載の入退浴判定装置。
【請求項５】
前記存否判定部は、前記湯水量変更処理として、前記浴槽に貯えられている湯水量を所定増加量だけ増加させる処理を実行する請求項１〜４の何れか一項に記載の入退浴判定装置。
【請求項６】
前記存否判定部は、前記湯水量変更処理として、前記浴槽に貯えられている湯水量を所定減少量だけ減少させる処理を実行する請求項１〜４の何れか一項に記載の入退浴判定装置。
【請求項７】
前記存否判定部は、前記水位検出部で検出される前記浴槽での水位が設定値以上変化してから設定期間が経過した場合に、前記判定開始条件が満たされたと判定する請求項１〜６の何れか一項に記載の入退浴判定装置。
【発明の詳細な説明】
【技術分野】
【０００１】
本発明は、浴槽内での入浴者の存否を判定する入退浴判定装置に関する。
【背景技術】
【０００２】
特許文献１には、浴槽に設けられる水位センサーの出力が変化していれば浴槽に入浴者が存在していると判定する装置が記載されている。
また、この装置は、水位センサーの出力が一定時間変化しない場合には、表示部に入浴者に体を動かすように表示し、音声発生装置から入浴者に対して体を動かすように発信させるように構成されている。
【先行技術文献】
【特許文献】
【０００３】
【特許文献１】特開２００３−１３９３９０号公報
【発明の概要】
【発明が解決しようとする課題】
【０００４】
特許文献１に記載の装置では、入浴者に対して体を動かすように促しても、それに応じて入浴者が体を動かさなければ、浴槽に入浴者が存在していないと判定してしまう。
また、入浴者が僅かに体を動かしただけであれば、水位センサーの出力が大きく変化せず、結果として、浴槽に入浴者が存在していないと判定される可能性もある。
【０００５】
他にも、かけ湯等で浴槽の湯を排出した直後に利用者が浴槽へ入浴した場合には、湯水の排出による水位低下と、利用者の入浴による水位増加とが打ち消し合って、大きな水位変化が現れない可能性がある。同様に、シャワー等で浴槽に湯水を追加した直後に利用者が退浴した場合には、浴槽に湯水が追加されたことによる水位増加と、利用者の退浴による水位減少が打ち消しあって、大きな水位変化が現れない可能性がある。また、多人数での入浴が行われている場合には、ある利用者が入浴したことによる推移増加と、別の利用者が退浴したことによる水位低下とが打ち消し合って、大きな水位変化が現れない可能性がある。
【０００６】
そして、浴槽内での入浴者の存否を正確に判定できないと、例えば、動けない利用者が、浴槽内に存在していることを検出されないまま長時間取り残される可能性もある。
【０００７】
本発明は、上記の課題に鑑みてなされたものであり、その目的は、入浴者の動作によらずに浴槽内での入浴者の存否を判定できる入退浴判定装置を提供する点にある。
【課題を解決するための手段】
【０００８】
上記目的を達成するための本発明に係る入退浴判定装置の特徴構成は、浴槽内での湯水の水位を検出する水位検出部を備え、前記水位検出部の検出結果に基づいて、前記浴槽内での入浴者の存否を判定する入退浴判定装置であって、
前記浴槽に貯えられている湯水量を変更する湯水量変更処理を実行可能な湯水量変更部と、
所定の判定開始条件が満たされた場合に前記湯水量変更処理を前記湯水量変更部に実行させ、前記水位検出部で検出される、前記湯水量変更処理を実行した場合に生じる前記浴槽での水位の実際の変化状態に基づいて、前記浴槽内での入浴者の存否を判定する存否判定部とを備える点にある。
【０００９】
浴槽へ湯水が供給されると、水位は元の水面よりも高い位置へと上昇する。但し、浴槽内で入浴者が存在している場合は、浴槽内で入浴者が存在していない場合に比べて、浴槽内での水面の面積は小さくなっている。そのため、同じ量の湯水を浴槽に供給したとしても、浴槽内で入浴者が存在している場合の水位の変化状態は、浴槽内で入浴者が存在していない場合の水位の変化状態と異なる。同様に、同じ量の湯水を浴槽から排出した場合、浴槽内で入浴者が存在している場合の水位の変化状態は、浴槽内で入浴者が存在していない場合の水位の変化状態と異なる。例えば、同じ量の湯水を浴槽に供給したとしても、浴槽内で入浴者が存在している場合の水位上昇量は、浴槽内で入浴者が存在していない場合の水位上昇量よりも大きくなるはずである。
【００１０】
そこで本実施形態では、存否判定部は、所定の判定開始条件が満たされた場合に、浴槽に貯えられている湯水量を変更する湯水量変更処理を湯水量変更部に実行させ、前記水位検出部で検出される、前記湯水量変更処理を実行した場合に生じる前記浴槽での水位の実際の変化状態に基づいて、前記浴槽内での入浴者の存否を判定する。つまり、存否判定部は、同じ量の湯水を浴槽に供給又は浴槽から排出した場合に、浴槽内で入浴者が存在している場合の水位の変化状態と、浴槽内で入浴者が存在していない場合の水位の変化状態とが異なることを利用して、浴槽内での入浴者の存否を自動で判定する。
従って、入浴者の動作によらずに浴槽内での入浴者の存否を判定できる入退浴判定装置を提供できる。
【００１１】
本発明に係る入退浴判定装置の別の特徴構成は、前記存否判定部は、前記水位検出部で検出される前記実際の変化状態が、前記浴槽内に入浴者が存在しない状態で前記湯水量変更処理が実行された場合に生じると予測される前記浴槽での水位の変化状態に対応している場合、前記浴槽内に入浴者が存在しないと判定する点にある。
【００１２】
浴槽内に入浴者が存在しない場合、湯水量変更処理が実行された場合に生じると予測される浴槽での水位の変化状態は、計算等により決定できる既定の変化状態と同様の状態になるはずである。従って、湯水量変更処理が実行された場合に水位検出部で検出される実際の変化状態が、浴槽内に入浴者が存在しない状態で湯水量変更処理が実行された場合に生じると予測される浴槽での水位の変化状態に対応しているならば、存否判定部は、浴槽内に入浴者が存在していないと判定できる。
【００１３】
本発明に係る入退浴判定装置の更に別の特徴構成は、前記存否判定部は、前記湯水量変更処理が実行される前後での前記浴槽での水位の変化量を前記変化状態とする点にある。
【００１４】
湯水量変更処理が行われた場合、浴槽内に入浴者が存在する場合での水位の変化量は、浴槽内に入浴者が存在しない場合での水位の変化量よりも大きくなるはずである。従って、存否判定部は、湯水量変更処理が実行される前後での浴槽での水位の変化量を上記変化状態として、浴槽内に入浴者が存在しているか否かを判定できる。
【００１５】
本発明に係る入退浴判定装置の更に別の特徴構成は、前記存否判定部は、前記湯水量変更処理が実行された場合の前記浴槽での水位の変化速度を前記変化状態とする点にある。
【００１６】
湯水量変更処理が行われた場合、浴槽内に入浴者が存在する場合での水位の変化速度は、浴槽内に入浴者が存在しない場合での水位の変化速度よりも大きくなるはずである。従って、存否判定部は、湯水量変更処理が実行される前後での浴槽での水位の変化速度を上記変化状態として、浴槽内に入浴者が存在しているか否かを判定できる。
【００１７】
本発明に係る入退浴判定装置の更に別の特徴構成は、前記存否判定部は、前記湯水量変更処理として、前記浴槽に貯えられている湯水量を所定増加量だけ増加させる処理を実行する点にある。
【００１８】
上記特徴構成によれば、存否判定部は、浴槽に貯えられている湯水量を所定増加量だけ増加させる処理を上記湯水量変更処理として実行し、それによる水位の変化状態に基づいて浴槽内での入浴者の存否を判定できる。
【００１９】
本発明に係る入退浴判定装置の更に別の特徴構成は、前記存否判定部は、前記湯水量変更処理として、前記浴槽に貯えられている湯水量を所定減少量だけ減少させる処理を実行する点にある。
【００２０】
上記特徴構成によれば、存否判定部は、浴槽に貯えられている湯水量を所定減少量だけ減少させる処理を上記湯水量変更処理として実行し、それによる水位の変化状態に基づいて浴槽内での入浴者の存否を判定できる。
【００２１】
本発明に係る入退浴判定装置の更に別の特徴構成は、前記存否判定部は、前記水位検出部で検出される前記浴槽での水位が設定値以上変化してから設定期間が経過した場合に、前記判定開始条件が満たされたと判定する点にある。
【００２２】
入浴者が浴槽に入ると、或いは、入浴者が浴槽から出ると、水位検出部で検出される浴槽での水位が設定値以上変化する。
そこで本特徴構成では、存否判定部は、水位検出部で検出される浴槽での水位が設定値以上変化してから設定期間が経過した場合に上記判定開始条件が満たされたと判定し、湯水量変更処理を湯水量変更部に実行させて、浴槽内での入浴者の存否を判定する。
【図面の簡単な説明】
【００２３】
【図１】入退浴判定装置が設けられる給湯システムの構成を示す図である。
【図２】給湯システムの機能を示すブロック図である。
【図３】浴槽と熱源機との間で湯水を循環させる状態を説明する図である。
【図４】浴槽の湯水を増加させる状態を説明する図である。
【図５】浴槽の湯水を減少させる状態を説明する図である。
【図６】浴槽の湯水を増加させた場合の水位変化を説明する図である。
【図７】浴槽の湯水を増加させた場合の水位変化を説明する図である。
【図８】浴槽の湯水を減少させた場合の水位変化を説明する図である。
【図９】浴槽の湯水を減少させた場合の水位変化を説明する図である。
【発明を実施するための形態】
【００２４】
以下に図面を参照して本発明の実施形態に係る入退浴判定装置について説明する。
図１は、入退浴判定装置が設けられる給湯システムの構成を示す図である。
給湯システムは、浴槽２０と熱源機１０との間で湯水が循環できる循環路７を有する。循環路７は、浴槽２０の風呂アダプタ２１に接続される。循環路７のうちの復路７ｂの途中には、弁Ｖ１とポンプＰとが設けられる。循環路７のうちの往路７ａの途中には、三方弁Ｖ４と水位検出部２２と流量検出部２４とが設けられる。熱源機１０には、燃焼器３で発生した熱を、循環路７を流れる湯水に与えることのできる熱交換部４が設けられる。そして、給湯システムでは、循環路７のうちの復路７ｂを通って熱源機１０の熱交換部４に流入してきた湯水を加熱し、その加熱後の湯水を、循環路７のうちの往路７ａを通って浴槽２０へと供給する運転を行うことができる。熱源機１０では、復路７ｂの途中の、弁Ｖ１とポンプＰとの間には、上水が供給される給水路６が接続される。給水路６の途中には弁Ｖ３が設けられる。
【００２５】
燃焼器３は、燃料を燃焼して燃焼熱を発生させる装置である。本実施形態では、ガスを燃料としているため、燃焼器３にはガス供給路５が接続されている。ガス供給路５の途中には弁Ｖ２が設けられている。
【００２６】
循環路７のうちの往路７ａの途中に設けられる三方弁Ｖ４には、排水路２３も接続される。三方弁Ｖ４の切替状態として排水状態及び非排水状態とがある。非排水状態は、熱源機１０側の往路７ａと浴槽２０側の往路７ａとの間で湯水を流し、排水路２３には湯水を流さない状態である。排水状態は、浴槽２０側の往路７ａと排水路２３との間で湯水を流し、熱源機１０側の往路７ａには湯水を流さない状態である。
【００２７】
図２は、給湯システムの機能を示すブロック図である。図１及び図２に示すように、熱源機１０の動作を制御する制御装置１には、水位検出部２２の検出結果と、流量検出部２４の検出結果とが伝達される。
弁Ｖ１、弁Ｖ２、弁Ｖ３、三方弁Ｖ４、ポンプＰ、燃焼器３には、制御装置１から制御指令が伝達される。
制御装置１と、情報入出力装置２５及び記憶装置２のそれぞれの間では、情報がやり取りされる。
【００２８】
〔循環運転〕
図３は、浴槽２０と熱源機１０との間で湯水を循環させる状態を説明する図である。この場合、制御装置１は、弁Ｖ１を開き、弁Ｖ３を閉じ、三方弁Ｖ４を非排水状態に切り替え、ポンプＰを動作させる。これにより、浴槽２０に貯えられている湯水が、循環路７の復路７ｂを通って熱源機１０に至り、熱源機１０から循環路７の往路７ａを通って浴槽２０へと至るように流れる。このとき、制御装置１が弁Ｖ２を開いて燃焼器３にガスを供給し、制御装置１が燃焼器３を燃焼作動させれば、湯水を熱交換部４で加熱した上で、浴槽２０へと供給する運転（追焚き運転）を行うことができる。
【００２９】
〔湯水増加運転〕
図４は、浴槽２０の湯水を増加させる状態を説明する図である。この場合、制御装置１は、弁Ｖ１を閉じ、弁Ｖ３を開き、三方弁Ｖ４を非排水状態に切り替える。これにより、給水路６から供給される上水が、その給水圧によって合流部８から循環路７の復路７ｂを通って、熱源機１０から循環路７の往路７ａを通って浴槽２０へと至るように流れ、浴槽２０での湯水の水位が高くなる。このとき、制御装置１が弁Ｖ２を開いて燃焼器３にガスを供給し、制御装置１が燃焼器３を燃焼作動させれば、湯水を熱交換部４で加熱した上で、浴槽２０へと供給する運転（足し湯運転）を行うことができる。
また、制御装置１は、流量検出部２４の検出結果に基づいて、この湯水増加運転を行うことで浴槽２０へ供給された湯水量を知ることができる。
【００３０】
〔湯水減少運転〕
図５は、浴槽２０の湯水を減少させる状態を説明する図である。この場合、制御装置１は、弁Ｖ１を閉じ、弁Ｖ３を閉じ、三方弁Ｖ４を排水状態に切り替える。これにより、浴槽２０に貯えられている湯水が排水路２３を通って排出され、浴槽２０での湯水の水位が低くなる。
また、制御装置１は、流量検出部２４の検出結果に基づいて、この湯水減少運転を行うことで浴槽２０から排出された湯水量を知ることができる。
【００３１】
上述した循環運転及び湯水増加運転及び湯水減少運転などは、制御装置１により自動で切り替えられることや、情報入出力装置２５を用いて行われる利用者の指令に基づいて行われる。
例えば、利用者が情報入出力装置２５によって浴槽２０の湯水の追焚き指令を行った場合には、制御装置１はその指令に基づいて循環運転（追焚き運転）を行う。利用者が情報入出力装置２５によって浴槽２０への湯張り指令を行った場合には、制御装置１はその指令に基づいて湯水増加運転を行う。浴槽２０に貯えられている湯水の温度が設定値未満になった場合には、制御装置１は循環運転（追焚き運転）を行う。
加えて、以下に説明するように、制御装置１は、浴槽２０内での入浴者の存否を判定するために、湯水増加運転及び湯水減少運転を行うこともある。
【００３２】
〔入退浴判定装置〕
本実施形態の入退浴判定装置は、浴槽２０内での湯水の水位を検出する水位検出部２２を備え、水位検出部２２の検出結果に基づいて、浴槽２０内での入浴者の存否を判定するように構成されている。特に、入退浴判定装置は、浴槽２０に貯えられている湯水量を変更する湯水量変更処理を実行可能な湯水量変更部Ｄ１と、所定の判定開始条件が満たされた場合に湯水量変更処理を湯水量変更部Ｄ１に実行させ、水位検出部２２で検出される、湯水量変更処理を実行した場合に生じる浴槽２０での水位の実際の変化状態に基づいて、浴槽２０内での入浴者の存否を判定する存否判定部Ｄ２とを備える。
【００３３】
本実施形態の給湯システムでは、浴槽２０に貯えられている湯水量を変更する湯水量変更処理として、湯水量を増加させる処理と、湯水量を減少させる処理とを行うことができる。
浴槽２０の湯水量を増加させる場合、制御装置１は、上記湯水増加運転を行うために、流量検出部２４の検出結果を参照しながら、弁Ｖ１と、弁Ｖ３と、三方弁Ｖ４との動作を制御する。つまり、この場合は、制御装置１と、流量検出部２４と、弁Ｖ１と、弁Ｖ３と、三方弁Ｖ４とで湯水量変更部Ｄ１の機能が実現される。
浴槽２０の湯水量を減少させる場合、制御装置１は、上記湯水減少運転を行うために、流量検出部２４の検出結果を参照しながら、弁Ｖ１と、弁Ｖ３と、三方弁Ｖ４との動作を制御する。つまり、この場合も、制御装置１と、流量検出部２４と、弁Ｖ１と、弁Ｖ３と、三方弁Ｖ４とで湯水量変更部Ｄ１の機能が実現される。
【００３４】
存否判定部Ｄ２の機能は制御装置１によって実現される。そして、本実施形態の存否判定部Ｄ２は、水位検出部２２で検出される浴槽２０での水位が設定値以上変化してから設定期間が経過した場合に、判定開始条件が満たされたと判定する。つまり、浴槽２０で水位が設定値以上変化したということは、利用者が浴槽２０で入浴や退浴などの動作を行ったことを意味する。よって、本実施形態では、水位検出部２２で検出される浴槽２０での水位が設定値以上変化してから設定期間が経過したタイミングを、浴槽２０内での入浴者の存否判定を行うべきタイミングとしている。
【００３５】
〔湯水を増加させた場合〕
図６及び図７は、浴槽２０の湯水を増加させる湯水増加運転（湯水量変更処理）を行った場合の水位変化を説明する図である。尚、図６では、浴槽２０内に入浴者は存在しておらず、図７では、浴槽２０内に入浴者は存在している。図６及び図７の何れの場合も、浴槽２０に貯えられている湯水の水位がＨ０の場合を基準状態とする。
【００３６】
図６のように浴槽２０内に入浴者が存在しない場合には、基準状態から浴槽２０内に所定量の湯水を供給すると、浴槽２０での湯水の水位はＨ１ａになる。尚、熱源機１０の試運転時に、浴槽２０に入浴者が存在していない状態において、浴槽２０への湯水供給量に対する水位の変化量の関係を測定して記憶装置２に記憶している。つまり、本実施形態の入退浴判定装置では、浴槽２０に入浴者が存在していない場合、浴槽２０での湯水の水位が基準水位にある状態から所定量の湯水を供給した後で浴槽２０での湯水の水位がどのような値になるのかは既知である。
【００３７】
図７のように浴槽２０内に入浴者が存在する場合には、基準状態から、図６で説明したのと同じだけの湯水量を浴槽２０に供給すると、水位はＨ１ｂ（＞Ｈ１ａ）になる。浴槽２０内に同じ量の湯水を供給しても浴槽２０に入浴者が存在している場合（図７）の方が水位が高くなるのは、浴槽２０内の空間の一部が入浴者の人体で占められ、浴槽２０内での水面の面積は小さくなっているためである。
【００３８】
〔湯水を減少させた場合〕
図８及び図９は、浴槽２０の湯水を減少させる湯水減少運転（湯水量変更処理）を行った場合の水位変化を説明する図である。尚、図８では、浴槽２０内に入浴者は存在しておらず、図９では、浴槽２０内に入浴者は存在している。図８及び図９の何れの場合も、浴槽２０に貯えられている湯水の水位がＨ０の場合を基準状態とする。
【００３９】
図８のように浴槽２０内に入浴者が存在していない場合には、基準状態にある浴槽２０内から所定量の湯水を排水すると、浴槽２０での湯水の水位はＨ２ａになる。この場合も、本実施形態の入退浴判定装置では、浴槽２０に入浴者が存在していない場合、浴槽２０での湯水の水位が基準水位にある状態から所定量の湯水を排出した後で浴槽２０での湯水の水位がどのような値になるのかは既知である。
【００４０】
図９のように浴槽２０内に入浴者が存在する場合には、基準状態から、図８で説明したのと同じだけの湯水量を浴槽２０から排出すると、水位はＨ２ｂ（＜Ｈ２ａ）になる。浴槽２０内から同じ量の湯水を排出しても浴槽２０に入浴者が存在している場合（図９）の方が水位が低くなるのは、浴槽２０内の空間の一部が入浴者の人体で占められ、浴槽２０内での水面の面積は小さくなっているためである。
【００４１】
このように、浴槽２０内で入浴者が存在している場合は、浴槽２０内で入浴者が存在していない場合に比べて、浴槽２０内での水面の面積は小さくなっている。そのため、同じ量の湯水を浴槽２０に供給したとしても、浴槽２０内で入浴者が存在している場合の水位の変化状態は、浴槽２０内で入浴者が存在していない場合の水位の変化状態と異なる。同様に、同じ量の湯水を浴槽２０から排出した場合、浴槽２０内で入浴者が存在している場合の水位の変化状態は、浴槽２０内で入浴者が存在していない場合の水位の変化状態と異なる。従って、存否判定部Ｄ２は、水位検出部２２で検出される実際の変化状態が、浴槽２０内に入浴者が存在しない状態で湯水量変更処理が実行された場合に生じると予測される浴槽２０での水位の変化状態に対応している場合、浴槽２０内に入浴者が存在しないと判定できる。
【００４２】
本実施形態において存否判定部Ｄ２は、湯水量変更処理が実行される前後での浴槽２０での水位の変化量を上記変化状態とする。例えば、存否判定部Ｄ２は、浴槽２０に貯えられている湯水量を所定増加量だけ増加させる処理を行った場合に水位検出部２２で検出される実際の変化状態が、その場合に予測される浴槽２０での水位の変化量に対応している場合（例えば、図６に示したような変化量Ｈ１ａを基準として所定値以内にある場合）、浴槽２０内に入浴者が存在しないと判定できる。それに対して、存否判定部Ｄ２は、浴槽２０に貯えられている湯水量を所定増加量だけ増加させる処理を行った場合に水位検出部２２で検出される実際の変化状態が、その場合に予測される浴槽２０での水位の変化量に対応していない場合（例えば、図６に示したような変化量：「Ｈ１ａ−Ｈ０」を基準として所定値以内にない場合）、浴槽２０内に入浴者が存在すると判定できる。
【００４３】
湯水量変更処理として、存否判定部Ｄ２は、浴槽２０に貯えられている湯水量を所定増加量だけ増加させる処理、及び、浴槽２０に貯えられている湯水量を所定減少量だけ減少させる処理の何れを実行してもよい。
また、浴槽２０に貯えられている湯水量を変更する湯水量変更処理では、入浴者が浴槽２０内に存在しても、その入浴者が違和感を持たないような速度で湯水量の変更が実行されることが好ましい。
【００４４】
＜別実施形態＞
＜１＞
上記実施形態では、本発明の入退浴判定装置について具体例を挙げて説明したが、その構成は適宜変更可能である。
例えば、浴槽２０に貯えられている湯水量を増加及び減少させる湯水量変更処理を実行可能な湯水量変更部Ｄ１の構成は上述した例に限定されず、適宜変更可能である。
【００４５】
＜２＞
上記実施形態において、存否判定部Ｄ２は、水位検出部２２で検出される実際の変化状態が、浴槽２０内に入浴者が存在する状態で湯水量変更処理が実行された場合に生じると予測される浴槽２０での水位の変化状態に対応している場合、浴槽２０内に入浴者が存在すると判定するように構成してもよい。
つまり、浴槽２０内に入浴者が存在する場合、湯水量変更処理が実行された場合に生じると予測される浴槽２０での水位の変化状態は、浴槽２０内に入浴者が存在しない状態で湯水量変更処理が実行された場合に生じると予測される浴槽２０での水位の変化状態とは別の変化状態になるはずである。従って、湯水量変更処理が実行された場合に水位検出部２２で検出される実際の変化状態が、浴槽２０内に入浴者が存在する状態で湯水量変更処理が実行された場合に生じると予測される浴槽２０での水位の変化状態に対応しているならば、存否判定部Ｄ２は、浴槽２０内に入浴者が存在していると判定できる。
【００４６】
＜３＞
上記実施形態において、存否判定部Ｄ２は、水位検出部２２で検出される浴槽２０での水位が、設定値以上変化しない状態が設定期間以上連続した場合に、判定開始条件が満たされたと判定してもよい。
つまり、入浴者が浴槽２０へ入る動作を行わなければ、或いは、入浴者が浴槽２０から出る動作を行わなければ、水位検出部２２で検出される浴槽２０での水位は設定値以上変化しない。そのため、存否判定部Ｄ２は、水位検出部２２で検出される浴槽２０での水位が、設定値以上変化しない状態が設定期間以上連続した場合に上記判定開始条件が満たされたと判定し、湯水量変更処理を湯水量変更部Ｄ１に実行させて、浴槽２０内での入浴者の存否を判定して、浴槽２０内に入浴者が存在するか否かを検証してもよい。
【００４７】
＜４＞
上記実施形態において、存否判定部Ｄ２は、湯水量変更処理が実行された場合の浴槽２０での水位の変化速度を上記変化状態としてもよい。
つまり、一定の流速で湯水を浴槽２０に供給する又は一定の流速で湯水を浴槽２０から排出する湯水量変更処理が行われた場合、浴槽２０内に入浴者が存在する場合での水位の変化速度は、浴槽２０内に入浴者が存在しない場合での水位の変化速度よりも大きくなるはずである。従って、存否判定部Ｄ２は、湯水量変更処理が実行される前後での浴槽２０での水位の変化速度を上記変化状態として、浴槽２０内に入浴者が存在しているか否かを判定できる。
【００４８】
＜５＞
上記実施形態（別実施形態を含む）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００４９】
本発明は、入浴者の動作によらずに浴槽内での入浴者の存否を判定できる入退浴判定装置に利用できる。
【符号の説明】
【００５０】
１  制御装置（湯水量変更部  Ｄ１，存否判定部  Ｄ２）
２  記憶装置
２０  浴槽
２２  水位検出部
２４  流量検出部（湯水量変更部  Ｄ１）
Ｄ１  湯水量変更部
Ｄ２  存否判定部
Ｐ  ポンプ（湯水量変更部  Ｄ１）
Ｖ１  弁（湯水量変更部  Ｄ１）
Ｖ３  弁（湯水量変更部  Ｄ１）
Ｖ４  三方弁（湯水量変更部  Ｄ１）
【図１】
2019203621.tif 000003
【図２】
2019203621.tif 000004
【図３】
2019203621.tif 000005
【図４】
2019203621.tif 000006
【図５】
2019203621.tif 000007
【図６】
2019203621.tif 000008
【図７】
2019203621.tif 000009
【図８】
2019203621.tif 000010
【図９】
2019203621.tif 000011